Podtech/llm-jp-corpus-v4-ja_patent huggingface dataset:
(57)【要約】      （修正有）【課題】使用するに従い、ブラシの先端が丸くなり、使いづらくなる市販の歯ブラシを再利用する事を目的にブラシを切断加工しやすいはさみを提供する。【解決手段】市販されている歯ブラシのブラシは、そのナイロン自体の硬さと密植された反発力で、幅の広い市販のハサミでは切断整形しづらい。その為刃先の幅を１ｍｍ以内にして密植の間にすべり込ませる事を可能にし、長さを１０ｍｍ以内にして力を伝えやすくする。歯間にすべり込み易い、歯間ブラシとして使用すると、歯の間に深く入り、かつ、ブラッシングで汚れが落ちる。先端をカットし、短くすると、腰が強く、なおかつ洗う力もあり、ブラシとして再利用できる。【選択図】図３
0003149637.tif 000002
【実用新案登録請求の範囲】
【請求項１】
市販されている歯ブラシのブラシ部分の切断加工専用の鋏はさみ
【考案の詳細な説明】
【技術分野】
【０００１】本件は歯ブラシのブラシ部分の切断加工を容易にする為のはさみの刃の先の形状に関するものである。
【技術背景】
【０００２】現在市販されている歯ブラシは、自分の使い易い形に切断加工しようとしても、ブラシの素材の強さと、密植された圧力の強さで、市販のはさみでは切断加工さがむつかしい。
【考案が解決しようとする課題】
【０００３】密植されたブラシのすき間に刃をすべり込ませ易くする事。
刃先に力が伝わり易くする事
【課題を解決する為の手段】
【０００４】はさみの刃先の幅を１ｍｍ以下にする事
これにより、すき間には入り込み易くなる。
はさみの刃の長さを１０ｍｍ以下にする事
これにより、力が刃先に伝わり易くなる。
【０００５】以下、図に従って説明する。
図３に示す様に密植と密植のすき間にはさみの刃をすべり込ませブラシをカットする
図４に示す様に使いこんで丸くなりかけたブラシの先端をカットする
図５に示す様に中間の密植をカットして歯間ブラシとして利用する
図６に示す様に使いこんで丸くなったブラシの先端をすべてカットして、そうじや水洗い用のブラシとして再利用する。
【図１】
0003149637.tif 000003
【図２】
0003149637.tif 000004
【図３】
0003149637.tif 000005
【図４】
0003149637.tif 000006
【図５】
0003149637.tif 000007
【図６】
0003149637.tif 000008
【手続補正書】
【提出日】平成21年1月4日(2009.1.4)
【手続補正１】
【補正対象書類名】実用新案登録請求の範囲
【補正対象項目名】全文
【補正方法】変更
【補正の内容】
【実用新案登録請求の範囲】
【請求項１】
はさみの歯先部分の幅を歯ブラシのブラシの密植のすき間には入り込む事が可能なまでに細くしてブラシの切断加工を容易にする事の出来る、歯ブラシのブラシ部分の切断加工専用のはさみ。
【手続補正２】
【補正対象書類名】明細書
【補正対象項目名】全文
【補正方法】変更
【補正の内容】
【考案の詳細な説明】
【技術分野】
【０００１】本件は歯ブラシのブラシ部分の切断加工を容易にする為のはさみの刃の先の形状に関するものである
【技術背景】
【０００２】現在市販されている歯ブラシは、自分の使い易い形に切断加工しようとしても、ブラシの素材の強さと、密植された圧力の強さで、市販のはさみでは切断加工がむつかしい。
【考案が解決しようとする課題】
【０００３】密植されたブラシのすき間に刃先をすべり込ませ易くする事。
刃先に力が伝わり易くする事
【課題を解決する為の手段】
【０００４】はさみの刃先の幅を１ｍｍ以下にする事。
これにより、すき間には入り込み易くなる。
はさみの刃の長さを１０ｍｍ程にする事。
これにより刃先に力が伝わり易くなる。
【０００５】以下、図に従って説明する。
図３に示す様に密植と密植のすき間にはさみの刃をすべり込ませブラシをカットする。
図４に示す様に使い込んで丸くなりかけたブラシの先端をカットする。
図５に示す様に中間の密植をカットして歯間ブラシとして利用する。
図６に示す様に、使いこんで丸くなったブラシの先端をすべてカットして、そうじや水洗い用のブラシとして再利用する。
【図面の簡単な説明】
【０００６】
【図１】はさみの平面図。
【図２】市販のはブラシの平均的な形の側面図
【図３】市販の歯ブラシのふかん図、及びはさみを使った場合の図
【図４】歯ブラシのブラシをカットした状態、ブラシの先端のカット。
【図５】歯ブラシのブラシをカットした状態、中間部分のカット。
【図６】歯ブラシのブラシをカットした状態、先端をすべてカット。
【符号の説明】
［符合▲１▼］細く短い刃先。
［符合▲２▼］はさみのにぎり部分。
［符合▲３▼］刃先を密植にすべり込ました状態
［符合▲４▼］丸くなりかかつたブラシの先端をカット。
［符合▲５▼］密植の中間をカットして歯と歯の間に深くは入り込む様にする。
［符合▲６▼］すべてのブラシの先端をカットする。
【手続補正３】
【補正対象書類名】図面
【補正対象項目名】全図
【補正方法】変更
【補正の内容】
【図１】
0003149637.tif 000009
【図２】
0003149637.tif 000010
【図３】
0003149637.tif 000011
【図４】
0003149637.tif 000012
【図５】
0003149637.tif 000013
【図６】
0003149637.tif 000014
(57)【要約】      （修正有）【課題】靴を脱ぐ時に使用する靴べらを提供する。【解決手段】靴べら１下部側面にＵ型の凸２を設けた事を特徴とする。靴を脱ぐ時に楽に出来る様に、靴べらの下部にＵ型の凸を設けて、靴の踵を抑える様にした。靴ベラに凸を設けたことにより、靴の踵を抑えることが出来るので、靴脱ぎが楽である。つまり、腰を屈めて靴の踵を手で押さえる、靴の踵をすり合わせて脱ぐ必要がない。【選択図】図２
0003149640.tif 000002
【実用新案登録請求の範囲】
【請求項１】
靴ベラの本体図（１）の下部（２）に，窓付き凸起物を設けた靴ベラ
【考案の詳細な説明】
【技術分野】
【０００１】この発明は，長尺溝状の靴ベラ本体下部に，靴踵止めの凸起を付け，靴の着脱に関するものである。
【背景技術】
【０００２】従来の靴ベラは，靴着用の際のみに使用し，溝状で踵滑り込みのみに使用。
【考案の開示】
【考案が解決しようとする課題】
【０００３】イ．靴を履く時だけ使用。
ロ．履物棚などに，引っ掛けて整頓する事が出来ない。
【課題を解決するための手段】
【０００４】靴ベラ本体（１）の下部にＵ字型の凸部（２）を設ける本発明は，以上のような構成よりなる靴ベラである。
【考案の効果】
【０００５】靴ベラ背部に凸を設けたことにより，靴の踵を抑えることが出来るので，靴脱ぎが楽である。つまり，腰を屈めて靴の踵を手で押さえる，靴の踵をすり合わせて脱ぐ必要がない。
更に凸を設けたことにより，靴箱に引っ掛けて片づけることができる。
また，服を着たまま背中を掻くこともできる。
【考案を実施するための最良の形態】
【０００６】以下，本発明を実施するための最良の形態について説明する。
靴ベラ本体（１）の下部の背部に（２）Ｕ字型の凸を設けることにより，靴脱，踵を抑える，履物類の移動，引っ掛け鉤，更に着衣の上から背中を掻く事までできる。
【図面の簡単な説明】
【０００７】
【図１】
【図２】側面図
【符号の説明】
【０００８】１．靴ベラ本体
２．靴ベラの側面
【図１】
0003149640.tif 000003
【図２】
0003149640.tif 000004
【手続補正書】
【提出日】平成21年1月4日(2009.1.4)
【手続補正１】
【補正対象書類名】実用新案登録請求の範囲
【補正対象項目名】全文
【補正方法】変更
【補正の内容】
【実用新案登録請求の範囲】
【請求項１】
靴ベラ本体の下部の背部にＵ字型の凸起物を設けた靴ベラ。
【手続補正２】
【補正対象書類名】明細書
【補正対象項目名】０００７
【補正方法】変更
【補正の内容】
【０００７】
【図１】平面図
【図２】側面図
(57)【要約】      （修正有）【課題】睡眠時に布団から出ている頭部をカバーで覆うことにより、快適な睡眠環境を確保できる睡眠補助具を提供する。【解決手段】就寝姿勢の頭部から胸の上部までを覆う、遮光、断熱、遮音の効果を持つ覆い型のカバー２，３，６と、胸部面に降ろす縦の壁になる蓋構造および隙間をふさぐカーテン構造５を備え、土台面４は寝具下になるよう、中に敷き布団７またはベッドマットが敷きこめる構造とする。頭部カバー器具を寝具にセットし、就寝姿勢で、胸上部の壁になる移動蓋３を開けた状態で、体を横たえる。掛け布団１０を体にかけ、胸上部の壁になる移動蓋を閉め、隙間にカーテン５を下ろして密閉の状態とする【選択図】図５
0003149635.tif 000002
【実用新案登録請求の範囲】
【請求項１】
就寝姿勢の頭部から胸の上部までを覆う、遮光、断熱、遮音の効果を持つ覆い型のカバーと、胸部面に降ろす縦の壁になる蓋構造および隙間をふさぐカーテン構造。土台面は寝具下になるよう、中に敷き布団またはベッドマットが敷きこめる構造とする、頭部カバー器具。
【考案の詳細な説明】
【技術分野】
【０００１】    この発明は快適な睡眠環境を提供するための頭部カバー器具の形状に関する。
【背景技術】
【０００２】    従来睡眠補助具としてとしては、アイマスク、耳栓、又はいびき防止用の器具等直接体につけて使用するものが多い。又、アイマスク等の器具で、光や音を防止しても、冬の冷たい空気や、夏の蚊などの虫を防ぐことは出来ていなかった。
【考案の開示】
【考案が解決しようとする課題】
【０００３】    しかしながら、以上の技術によれば寝返りで外れたり、睡眠時に無意識に自分で外したり、また、体につけるためにストレスとなり、その効果が充分には期待できない。また、何もしなくても明かりや、布団から出ている顔や肩、腕の冷え、空気の乾燥等により快適な睡眠環境を確保しづらかった。
【課題を解決するための手段】
【０００４】    １．就寝姿勢の頭部から胸の上部までを覆う、遮光、断熱、遮音の効果を持つ覆い型のカバーと、胸部面に降ろす縦の壁になる蓋構造および隙間をふさぐカーテン構造。土台面は寝具下になるよう、中に敷き布団またはベッドマットが敷きこめる構造とする、頭部カバー器具を寝具にセットし、就寝姿勢で、胸上部の壁になる部分の蓋を開けた状態で、体を横たえる。
２．掛け布団を体にかけ、胸上部の壁になる部分の蓋を閉め、隙間にカーテンを下ろし、密閉の状態とする。
３．カバー内部に明かりをセットすれば夜間部屋の電気を消して就寝するときに迷わなくても良い。
【考案の効果】
【０００５】    睡眠時に布団から出ている頭部を遮光、断熱、遮音、乾燥防止効果が期待できるカバーで覆うことにより、快適な睡眠環境を確保する。覆う範囲を充分に取れば、睡眠中に寝返りで当たったりする事が無い為、囲いによるストレスとならない。
睡眠者の環境を確保すると共に、カバー内の睡眠者のいびきや歯軋り等の音の漏れを防ぎ、カバー内に読書灯等を装備すれば、明かりを漏らさないため、同室他者の睡眠環境を害することも少ない。
また、覆い自体は、寝起きするときに当たらないように胸上部を可動式の蓋とさせる構造とするため、蓋を開けた状態では十分に開放的であり性行為時にも邪魔にならない。
さらに、覆いの構造・強度にもよるが、地震などの落下物に対し頭部を保護する。
【考案を実施するための最良の形態】
【０００６】    遮光、遮音、断熱のためには十分に密閉されている必要があるが、気密が強すぎると窒息の恐れがある。そのため可動式の蓋と寝具の隙間はカーテン状の布等で覆う。
【実施例】
【０００７】    以下、本考案の実施例を図面に基づいて説明する。【０００８】    図１は本考案の一実施例を示す斜視図、図２は稼動蓋とカーテンを開けた例を示す斜視図、図３は稼動蓋とカーテンを閉じた状態の断面図。図４は稼動蓋とカーテンをあけた状態の断面図。図５は使用時の状態を示す断面図である。
【図面の簡単な説明】
【０００９】
【図１】本考案の一実施例を示す斜視図。カーテン部を取り付け、閉じた図。
【図２】本考案の一実施例を示す斜視図。カーテン部を取り付け、カーテンと稼動蓋を開けた図。
【図３】本考案の稼動蓋を閉じた断面図。
【図４】本考案の稼動蓋を開けた断面図。
【図５】本考案の使用状態を示す断面図。
【符号の説明】
【００１０】      １    カバー側面
１ｂ  カバー側面内側
２    カバー上面
３    稼動蓋
４    土台面
５    カーテン部
６    カバー背面
７    敷布団
８    枕
９    人体
１０  掛け布団
【図１】
0003149635.tif 000003
【図２】
0003149635.tif 000004
【図３】
0003149635.tif 000005
【図４】
0003149635.tif 000006
【図５】
0003149635.tif 000007
【手続補正書】
【提出日】平成20年11月29日(2008.11.29)
【手続補正１】
【補正対象書類名】実用新案登録請求の範囲
【補正対象項目名】全文
【補正方法】変更
【補正の内容】
【実用新案登録請求の範囲】
【請求項１】
防音機能を有する部材を用いた就寝用器具において、
（１）就寝姿勢の頭部から胸の上部までを覆う型のカバー、
（２）胸部面に降ろす縦の壁になる蓋構造、
（３）上記（２）の壁と布団の隙間をふさぐカーテン構造、
（４）土台面は寝具下になるよう、中に敷き布団またはベッドマットが敷きこめる構造、
以上からなる頭部カバー器具。
(57)【要約】      （修正有）【課題】ショートパンツやスカート姿で植木や花壇の水かけや花の手入れ等をする場合に、サンダルや靴等に蚊取り線香容器を装着し線香を燃やし、蚊から足元を刺されないようにするための容器である。【解決手段】容器本体１に金網３を取り付け、サンダルや靴等に装着するためのクリップ２により挟むようにした。容器全体を三重構造とし線香が鎮火しないよう金網状筒８を取り付けた、本体１の容器が熱くならないように不燃パイプ７を内部に設け、更に容器内部に線香の受け金網４を作り金網３が熱くならないようにした。【選択図】図５
0003149664.tif 000002
【実用新案登録請求の範囲】
【請求項１】
蚊取り線香容器にクリップを取り付け、サンダルや靴に挟んで装着し線香の煙により蚊から足元を刺されないようにする為のサンダル、靴装着用蚊取り線香容器。
【考案の詳細な説明】
【技術分野】
【０００１】アルミ等不燃製パイプの先端に金網を取り付け、クリップによりサンダルや靴等に挟むようにした装着用蚊取り線香容器。
【背景技術】
【０００２】本考案は、ショウトパンツやスカートの姿で庭先での水かけや花の手入れ等をする場合に蚊から足元を刺されることがある。
【考案が解決しようとする課題】
【０００３】現在市販されている香取線香は、備え付け用や携帯でも腰に下げる物があるが、上述のように腰に下げる場合は線香の煙は上に登るため足元を蚊から刺されることがある。従って足元に香取線香容器を装着し、その線香により足元に蚊を寄せ付けないように前述の欠点を解決しようとするものである。
【課題を解決しようとする手段】
【０００４】本考案は、アルミ等不燃製パイプにより作成し、その容器内で線香を燃やすため、酸素取り入れを容易にしたく先端に金網を取り付ける。また、容器内で線香を燃やすため容器が過熱される。このため容器を三重構造とし、熱が外部に伝わらないようにした。容器先端は金網を取り付け、更に上部に線香の受け金網を取り付けた。従って先端の金網や容器を手で触れても熱くならない。容器手前下部には、サンダルや靴に装着するためのクリップを設けた。香取線香投入口は火がついた線香が容器からこぼれないように安全性を考慮して開閉出来るように蓋を取り付けた。容器内は線香の煙の影響により内壁がべとつき線香が付着し鎮火するため、筒状の金網を容器内側に取り付けることにより鎮火しなくなった。容器は左右両方のサンダルや靴に装着し線香を燃やすことにより風の影響を少なくし効果が上がる。
【考案の効果】
【０００５】本考案の蚊取り線香は約３０分から４０分の燃焼で短時間であるが、庭木等の水かけや簡単な花の手入れは可能である。前述のように左右両方のサンダルや靴に装着することにより線香の煙が両足に注ぐため蚊から足元を守ることができる。
【考案を実施するための最良の形態】
【０００６】現在市販されている渦巻き状や棒状の香取線香でも使用できるが、香取線香を容器に入る程度を適宜に折り点火する。容器に点火したら、線香の先端を下向きに投入して開閉口を閉じクリップによりサンダルや靴に装着する。
【実施例】
【０００７】  以下、添付図面に従って一実施例を説明する。１はアルミ等不燃性パイプ等適宜素材にて一体化された蚊取り線香容器本体、２は蚊取り線香容器をサンダルや靴に装着する為のクリップ、３は容器内で線香を燃やすため酸素を取り入れやすくするための金網を設けた、４は線香の受け金網であるが、線香の火が直接受け金網に接触して金網の温度が上がり手で触れると火傷の危険があるため容器内部に取り付けた。５は蚊取り線香投入や排煙するための開閉用蓋、６は線香の排煙口、７は容器内の温度が上がるため、容器全体を三重構造とし１の外部温度が高温にならないように不燃パイプを内部に取り付けた。８は７のアルミ性パイプ等に線香が触れると鎮火するので金網状の筒を取り付けることにより線香が金網に直接触れても鎮火しない。
【図面の簡単な説明】。【０００８】
【図１】本考案のサンダル、靴装着用蚊取り線香容器の実施を示す正面図である。
【図２】クリップを取り付けた状態。
【図３】本蚊取り線香容器の側面図である。
【図４】本蚊取り線香容器の三重構造を部品化した状態である。
【図５】本蚊取り線香容器の三重構造を組み合わせた状態である。
【符号の説明】  １  蚊取り線香容器本体
２  クリップ
３  金網
４  内部取り付け線香受け金網
５  開閉用蓋
６  排煙口
７  不燃パイプ
８  筒状金網
【図１】
0003149664.tif 000003
【図２】
0003149664.tif 000004
【図３】
0003149664.tif 000005
【図４】
0003149664.tif 000006
【図５】
0003149664.tif 000007
(57)【要約】      （修正有）【課題】メガネの鼻受け部分と耳掛け部分に磁石をうめ込んだ健康器具を提供する。【解決手段】メガネのフレームの鼻受け部分と耳掛け部分に磁石をうめ込むことにより、磁石がはずれることなく、血液の流れの悪い所（ツボ）を常に刺激することが期待される健康器具商品である。【選択図】図１
0003149662.tif 000002
【実用新案登録請求の範囲】
【請求項１】
メガネのフレームの鼻受け部分と、耳掛け部分に磁石を埋め込むことにより、メガネの本来の役目と、磁石が移動することなく、血液の流れの悪い所（ツボ）を刺激する健康器具商品。
【考案の詳細な説明】
【技術分野】
【０００１】  本考案は、メガネのフレームの鼻受け部分と耳掛け部分に磁石を取り付けたメガネに関するもの。
【背景技術】
【０００２】  通常は、磁石を鼻、又はこめかみなどの血行の悪いツボに直接テープで貼る。
【考案の開示】
【考案が解決しようとする課題】
【０００３】  今までは血液の流れの悪い場所（ツボ）に磁石をテープにて貼っていたが、メガネに取りつけることにより、磁石のズレ、ゆがみが出来ず、テープの跡を気にすることがない。
【課題を解決するための手段】
【０００４】  本考案は、メガネのフレームの鼻受け部分と耳掛け部分に磁石をうめ込むことにより、メガネの本来の役目と血行の促進を助ける効果が期待できる。
【考案の効果】
【０００５】  メガネのフレームの鼻受け部分と耳掛け部分に磁石をうめ込むことにより、血行の悪い所（ツボ）を刺激し、鼻水の防止、鼻づまり、頭痛などの解消が期待される。
【考案の実施するための最良の形態】
【０００６】  メガネのフレームの鼻受け部分と耳掛け部分に磁石をうめ込むことにより、はずれることなく、移動することもなく、常にツボを刺激する効果が期待される。
【実施例】
【０００７】  以下、図面に従って説明します。
［図１］はメガネの全体図で、２の鼻受け部分と、３の耳掛け部分に、磁石のサイズに合わせ穴を作り、磁石をうめ込む。
【図面の簡単な説明】
【０００８】
【図１】  本考案の磁石付メガネの全体図と磁石をうめ込む部分の図面。
【符号の説明】
【０００９】１  メガネ本体
２  鼻かけ部分
３  耳かけ部分
４  レンズ
５  フレーム
【図１】
0003149662.tif 000003
(57)【要約】      （修正有）【課題】座金とナットを合体させた金物により、ボルト締め付け位置が安定し、ナットや座金が移動しないようにした、木工用捻子付き座金を提供する。【解決手段】肉厚座金１の外形を三角形に成形し、その頂点部を折り曲げて、回り止め爪２として、中央穴部に捻子加工３を施した木工用捻子座金であって、中央捻子部３は少口径ボルトの場合小口径ボルトの補強用外形捻子型埋め込みナットの外形捻子に合った捻子立加工３を、普通ボルト７の場合は回り止め爪２と同方向に打ち出し加工５の上、ボルトに合った捻子立加工３を施して該金物を構成する。【選択図】図５
0003149665.tif 000002
【実用新案登録請求の範囲】
【請求項１】
座金の外形を３角形に成形し、３ヵ所の頂点部を折り曲げて回り止め爪として、中央穴部に捻子加工を施した木工用の捻子付き座金。
【考案の詳細な説明】
【技術分野】
【０００１】  本考案は、一般木工品の捻子止めに関する。
【背景技術】
【０００２】  従来木工品の捻子止め加工には木捻子に拠るか、ボルト・ナットと座金に拠る物であった。【０００３】  又ボルトやナットが表に出張らなくするには、沈め揉み付け等を行っていた。
【考案の開示】
【考案が解決しようとする課題】
【０００４】  従来の木工品には大口径・大ピッチの捻子加工以外は不可能で小口径のボルト受け捻子は打ち込みナットに拠るしか方法が無かった。【０００５】  又従来のボルト・ナットに拠る締めつけ方法では、沈め揉み付けに拠る強度の劣化等の問題があった。【０００６】  本考案の金物は、前記の様な諸問題を解決し安定した木工品の締め付金物を提供しようとするものである。
【課題を解決するための手段】
【０００７】  本考案は、肉厚座金の外形を３角形に成形し、その頂点部を折り曲げて回り止め爪として、中央穴部に捻子加工を施した木工用捻子付き座金であって、中央捻子部は少口径ボルトの場合小口径ボルトの補強用外形捻子型埋め込みナットの外形捻子に合った捻子立を、普通ボルトの場合は回り止め爪と同方向に打ち出し加工の上、ボルトに合った捻子立加工を施した金具を製作する。【０００８】ボルト穴部に或いは座金肉厚分の座繰り部分に回り止め爪が座金面が蜜着する迄圧入することにより、小口径ボルトの場合は更に補強用外形捻子型埋め込みナットを定位置迄捻子込んでボルト受け捻子部の加工を完了する様にする。
【考案の効果】
【０００９】  上記の本考案金具を使用することによってボルト締付け位置が安定すると同時に従来のナットと座金は不要となり締付け作業が安定する。【００１０】  分解・再組み立てに際し、従来の様にナットや座金が移動しないので、作業が容易になり安定する。
【考案を実施するための最良の形態】
【００１１】  以下、本考案の実施の形態を図１〜図６に基ずいて説明する。【００１２】  図１〜図３は本考案金物１の外形を示す図で、図１は本考案金物の平面図で、図２・３は本考案金物の側断面図である。【００１３】  肉厚座金１の外形を３角形に成形し、その頂点部を折り曲げて、回り止め爪２として、中央穴部に捻子加工３を施した木工用捻子座金であって、中央捻子部３は少口径ボルト６の場合小口径ボルト６の補強用外形捻子型埋め込みナット４の外形捻子に合った捻子立加工３を、普通ボルト７の場合は回り止め爪２と同方向に打ち出し加工５の上、ボルトに合った捻子立加工３を施した本考案金物を製作する。【００１４】  図４〜図６は本考案金具の使用例を示す図で、ボルト穴部３に、或いは肉厚座金部分１の木工座繰り部分８に回り止め爪２が座金面１が蜜着する迄圧入することにより、小口径ボルト６の場合は更に補強用外形捻子型埋め込みナット４を定位置迄捻子込んでボルト受け捻子部３の加工が完了する。
【図面の簡単な説明】
【００１５】
【図１】  本考案金物の平面図
【図２】  同少口径ボルト用側断面図
【図３】  同普通ボルト用側断面図
【図４】  少口径ボルト用座繰り使用例説明図
【図５】  普通ボルト標準使用例説明図
【図６】  少口径ボルト標準使用例説明図
【符号の説明】
【００１６】１…肉厚座金部
２…回り止め爪
３…捻子部
４…補強用外形捻子型埋め込みナット
５…捻子用打ち出し
６…少口径ボルト或いはビス
７…普通ボルト
８…座繰り逃げ
９…ボルト穴
１０…木工部
【図１】
0003149665.tif 000003
【図２】
0003149665.tif 000004
【図３】
0003149665.tif 000005
【図４】
0003149665.tif 000006
【図５】
0003149665.tif 000007
【図６】
0003149665.tif 000008
(57)【要約】      （修正有）【課題】ラジコンカー用ホイルにおいて、デザインされたホイルキャップ自体をナットとし、ホイルの飾りと同時にホイルの脱着を工具不要で行う事ができるホイルキャップを提供する。【解決手段】ラジコンカー車軸１にホイル３を嵌め込み、デザインされたホイルキャップ５をナットとしてねじ込み装着する。このときホイルキャップ５のスポーク部分を手で回してねじ込む為、装着の為の工具は不要である。また、外すときも同様に行える。ホイルキャップ５の外径はホイル３のリム内側の径よりやや小さく飾りとしての効果がある。【選択図】図１
0003149668.tif 000002
【実用新案登録請求の範囲】
【請求項１】
ラジコンカーのホイルを装着する際に六角ナットの代わりに工具を使用せず車軸に捻子止めすることを特徴とするホイルキャップ。
【考案の詳細な説明】
【技術分野】
【０００１】この考案は、ラジコンカーに使用するホイルキャップに関するものである。
【背景技術】
【０００２】従来のラジコンカーホイルは、工具を使用して六角ナットにて装着するものである。
【考案の開示】
【考案が解決しようとする課題】
【０００３】以上の技術によれば、ホイル自体を交換しない限り、デザインを変更できない。また、ホイルを着脱するために六角レンチ等の工具を使用する必要がある。
【課題を解決するための手段】
【０００４】この考案はデザインされたホイルキャップをホイルの外側に装着し、ホイルキャップ自体をナットとして、工具を使用せずにホイルの交換ができる環境を提供することにより問題を解決している。
【考案の効果】
【０００５】上述のように、工具を使用せずにホイルキャップ及びホイルを脱着できる事は勿論、ホイルキャップ自体が小さな六角ナットの代わりの為、部品を紛失する可能性が減る。
また、様々なデザインのホイルキャップを用意する事により、好みのデザインのホイルキャップを走行の都度、簡単に変更する事ができる。
【考案を実施するための最良の形態】
【０００６】車軸にホイルを嵌め込み、その外側からホイルキャップをねじ込む。スポークに手をかけて締め込み、装着完了となる。
【実施例】
【０００７】この考案の一実施例を、図１に従って説明する。１はラジコンカーの車軸、３は市販されているプラスティック製ラジコンカー用ホイル、５はプラスティックやアルミ等、適宜素材で形成されたホイルキャップである。【０００８】車軸１の雄ネジ部２をホイル３の貫通穴４を通して、その外側からホイルキャップ５の雌ネジ部６にねじ込んで装着する。
【図面の簡単な説明】
【０００９】
【図１】この考案の一実施形態を示す斜視図である。
【図２】従来技術を示す斜視図である。
【符号の説明】
【００１０】１  ラジコンカーの車軸
２  ラジコンカー車軸の雄ネジ部
３  ラジコンカーホイル
４  ラジコンカーホイルの貫通穴
５  ラジコンカーホイルキャップ
６  ラジコンカーホイルキャップの雌ネジ部
７  ラジコンカーの車軸
８  ラジコンカーホイル
９  六角ナット
【図１】
0003149668.tif 000003
【図２】
0003149668.tif 000004
(57)【要約】      （修正有）【課題】竹材を容器として食用の茸を栽培するのが、主要目的であるが、その竹材を美麗な美術品に加工することにより置物として、又掛け物としての価値品と成すことにより、茸の栽培後も容器に草花を入れる事により観賞用として使用することを可能とした竹筒を提供する。【解決手段】竹筒１の最下部には節を利用した底板節２を設ける、この底板節２より上の円筒部分を栽培容器部３として利用するのであるが、この栽培容器部３の深さは、一定でなく用途の種別等により適合した深さに作成される。栽培容器部３の上端より上部節４に至る間を縦に半截して開口部５とする、この開口部５は栽培容器部３の中にて栽培されたるものを、観賞し、又出し入れするためのものである。６は茸である、茸菌を入れる事により多くの茸６が次々と生えるため実益になるものである、夜間にても観賞を可能とする場合は、上部節４の裏面にライト７を設ける。【選択図】図１
0003149670.tif 000002
【実用新案登録請求の範囲】
【請求項１】
茸及び草花栽培用竹筒において、適宜長さに切断されたる竹筒を茸、草花栽培容器と成し、該竹筒の一部を半割することにより開口部を形成せしめることを特徴とする茸及び草花栽培用竹筒。
【請求項２】
請求項１記載の茸及び草花栽培用竹筒において、竹筒内に照明ライトを設けて成ることを特徴とした茸及び草花栽培用竹筒。
【考案の詳細な説明】
【考案の分野】
【０００１】  本考案は太い竹材を利用して、その竹材を容器として食用の茸を栽培するのが、主要目的であるが、その竹材を美麗な美術的に加工することにより置物として、又掛け物としての価値品と成すことにより、茸の栽培後も容器に草花を入れる事により観賞用として使用することを可能とした、竹材の新規利用分野である。
【背景技師】
【０００２】  竹筒にて草花の観賞容器を作ることは相当古い時代より実施されて来たものである、又茸の人工的栽培も実施されて相当な年月を経過している。
茸の人工栽培が、産業的に実施されるようになった歴史は、まだ浅いものであり、近年は特に各種の茸が人工栽培されている。
茸の人工栽培をする農家は増大しているが、一般家庭にての茸栽培は普及していない、竹筒にての茸を人工栽培することは、まだ全く見受けられない。
【考案の開示】
【考案か解決しようとする課題】
【０００３】  竹は繁殖の旺盛な植物であるが、密に繁茂させると筍は生えない、そのため筍の生産を上げるには、竹の間伐が重要である、しかし竹の需要が少ないため間伐した竹の処分に困惑し間伐ができない、そのため筍の生産も低下しているのが現状である。
そこで本考案は竹産業を創生することにより、竹の処分問題を解決させ、その事にて筍の生産を増大させる効果も得るものである。
【課題を解決させるための手段】
【０００４】  太い竹材の用途として、正月の門松があるが、このものは限られた僅かな需要であるため、竹材料の消費効果は無に等しい、一般的に広く販売できる新しい竹製品を創出する事が肝要である、そこで竹材にて簡単ながら美術的な置物、或いは掛け物を作り、そのものを栽培容器として、その竹筒の中にて茸を栽培する。
茸を家庭にて成育し、食用する事を楽しむものであるが、茸菌を入れ替える事により、何度も栽培を可能にする事は勿論である。
茸栽培の終了後において、草花の容器として使用できることは勿論である、本考案の竹筒に発光ダイオードを設けることにより、夜間にても観賞し得る雅趣のある飾りものとなる。
【考案の効果】
【０００５】  本考案は次の効果を奏する、本考案の茸栽培用竹筒は太い竹材を花器として利用できるように美術的に美麗に作成された竹筒にて茸を栽培するものであるため、一般家庭にて茸の成育を楽しむ事ができると共に食用の実益も得られ、菌を入れ替えれば反復して栽培が可能である、茸栽培を中止の場合は草花を入れ花器として使用できる。
本考案の実施により竹材の利用範囲が拡大でき、竹の間伐が促進される、そのため筍の生産も増大できる。
本考案は竹筒利用の茸栽培であるが、間伐した竹の処理効果、筍の増産効果につながる大きな効果を発生するものである。
【考案を実施するための最良の形態】
【０００６】  本考案は竹筒を利用して、その筒内にて茸、草花を栽培する簡潔なものなるため、最良最低の区別は付けられない、強いて優劣を付ければ竹筒の切削加工の美麗程度の相違であり、大きな相違は無い。
【実施例】
【０００７】  本考案は処分に困窮している竹材を利用して作りたる竹容器にて、茸、草花を、一般家庭にて栽培するものである、茸は食用になるため実益になるものである。
竹材の処分が解決できれば、竹林の間伐が可能になり筍の増産につながる、このように本考案は単に茸、草花の栽培用竹筒を販売のみでなく、反面において筍を増産させる効果も発生するものである。
本考案は竹材を、縦横自在に利用し種々なる形態に加工するが、縦型の場合を一例として以下、本考案を図面に基づき詳細に説明する［図１］は本考案の茸及び草花栽培用竹筒の縦型の場合の一部切截斜視図であって、１は竹筒である、この竹筒１の直径としては規定は無く加工、販売に適した寸法の竹材を利用する。
竹筒１の最下部には節を利用した底板節２を設ける、この底板節２より上の円筒部分を栽培容器部３として利用するのであるが、この栽培容器部３の深さは、一定でなく用途の種別等により適合した深さに作成される。
竹筒１の上端には上部節４が設けられて居り、この上部節４は隠蔽蓋として利用されるものである。
栽培容器部３の上端より上部節４に至る間を縦に半截して開口部５とする、この開口部５は栽培容器部３の中にて栽培されたるものを、観賞し、又出し入れするためのものである。
６は茸である、茸菌を入れる事により多くの茸６が次々と生えるため実益になるものである、夜間にても観賞を可能とする場合は、上部節４の裏面にライト７を設ける。
ライト７の種別としては、従来の白熱電球にても良く、又発光ダイオードにても良い事は勿論である。
本考案は、このような実施例に何等限定されるものでなく、考案の要旨を逸脱しない範囲において種々なる態様にて実施し得ることは勿論である。
【産業上利用の可能性】
【０００８】  本考案は原材料として、無料に近い竹材を利用するため、安価にて製造が可能、そのため販売価格も安価になる、竹材を利用した、この同種商品がないため、産業上大きく期待できるものである。
【図面の簡単な説明】
【０００９】
【図１】は、本考案の茸及び草花栽培用竹筒の縦型の場合の一部切截斜視図である。
【符号の説明】
【００１０】  １  竹筒
２  底板節
３  栽培容器部
４  上部節
５  開口部
６  茸
７  ライト
【図１】
0003149670.tif 000003
(57)【要約】      （修正有） 【課題】針に糸を通し易い通し穴付縫い針を提供する。【解決手段】針の穴に切断部分を作り、その切断部分から糸を押し込み通すこととしたものである。切断部分及び糸を置く部分をわかりやすくするため、赤など、目立つ色により着色した部分を設ける。目印（着色部分）のところに糸を置き、それを引き下げれば自然に糸は滑って入り、糸通しが完了する。本縫い針を使用すれば、糸を引くだけで糸通しが済むので、年輩者でもさして支障がなく糸通しができ、針仕事離れを防ぐことができる。【選択図】図５
0003149686.tif 000002
【実用新案登録請求の範囲】
【請求項１】
針の穴へ糸を通す方法を、針の穴に切断部分を作り、その切断部分から糸を押し込み通すことを特徴とする糸押し込み式通し穴付縫い針
【請求項２】
請求項１の切断部分及び糸を置く部分をわかりやすくするため、赤など目立つ色による着色部分を有したことを特徴とする請求項１記載の糸押し込み式通し穴付縫い針
【考案の詳細な説明】
【技術分野】
【０００１】
本考案は針に糸を通すのに穴に切断箇所を設け、その切断箇所から糸を押し込み通す構造を有する縫い針
【背景技術】
【０００２】
針の穴に糸を通すという作業は、糸の先端部分を尖らせ、まずその先端部分を挿入し、それを先導として糸全体を通していた。
【考案の概要】
【考案が解決しようとする課題】
【０００３】
縫い針の穴は小さいので、糸の先端を尖らせても容易に入らなかった。
【課題を解決するための手段】
【０００４】
そこで、本考案は糸通しの方法を変更し、針の穴に切断部分を作り、その切断部分から糸を押し込み通すこととしたものである。
切断部分及び糸を置く部分をわかりやすくするため、赤など、目立つ色により着色した部分を設ける。
【考案の効果】
【０００５】
上述のように本考案によれば目印（着色部分）のところに糸を置き、それを引き下げれば自然に糸は滑って入り、糸通しが完了、課題は解決する。
【図面の簡単な説明】
【０００６】
【図１】針本体と針の穴及び従来の糸を針の穴に通す図
【図２】本考案の針の穴周辺図
【図３】本考案の糸を針の穴の上に置いた図
【図４】本考案の糸を引き下げ、その圧力で切断箇所に隙間ができた図
【図５】本考案の糸が隙間から滑り込む図
【図６】本考案の糸通しが完了し、切断箇所も元通り塞がった図
【考案を実施するための形態】
【０００７】
針の穴に切断箇所を設け、その切断箇所より糸を通す仕組みである。切断箇所をわかりやすくするため赤など目立つ色で着色し、またその周辺の曲げたい部分の金属の素材は弾力性の高いものを使用する。糸の通った後、切断箇所は元通り閉じる。
【実施例】
【０００８】
以下、添付図面に従って実施例を説明する。従来の実施例を示すと、１・縫い針、２・針の穴の周辺、３・糸の先端、針の穴に糸を通すには糸３の先を尖らせ穴２に通す方法がとられていた。
【０００９】
本考案の実施例を示すと、図２〜図６のイ・切断箇所、ロ・着色部分、ハ・弾力性に富んだ金属を使用した部分、これらを有する縫い針を使用し、糸を切断箇所に押し込み通すという方法をとったものである。
【００１０】
本考案を具体的に示すと、図３は糸Ｂを針の穴Ａの着色部分ロに置いたところ。図４は、糸を穴に向け強く引き下げ切断部分が開いたところ。図５は開いた穴から糸が滑り込むところ。図６は糸通しが完了したところ。
【符号の説明】
【００１１】
１、針本体
２、針の穴周辺
３、針の穴に通す糸とその先端部分
イ、本考案の針の穴切断箇所
ロ、着色部分
ハ、弾力性に富んだ金属を使用する部分
A、針の穴
B、糸
C、糸を引き下げる力を加えているところ
D、糸が隙間から滑り込んだところ
【図１】
0003149686.tif 000003
【図２】
0003149686.tif 000004
【図３】
0003149686.tif 000005
【図４】
0003149686.tif 000006
【図５】
0003149686.tif 000007
【図６】
0003149686.tif 000008
(57)【要約】      （修正有）【課題】取付具不要の再帰特性を有する反射具を提供する。【解決手段】再帰特性を有する長さ２１０ミリ幅１５ミリの長方形状の反射テープ３の短辺から３０ミリ離れた位置の両長辺にＶ字状の切り込み１を設ける。さらに、３０ミリの位置に切り込み１を設けた短辺と反対に位置する短辺から、３０ミリ離れた位置に長さ１５ミリの線状の開口部２を設ける。使用に当たっては、ループ状反射具を鞄等の取っ手部分に長方形状の反射テープ３を巻きつけ、線状の開口部２に、反対の短辺を通し、線状の開口部２にＶ字の切り込み１をはめて固定する。【選択図】図２
0003149672.tif 000002
【実用新案登録請求の範囲】
【請求項１】
両長辺上にＶ字の切り込みの入った長方形状の再帰特性を有する反射テープに、反射テープの幅と同等寸法の線状の開口部を設けた事を特徴とする反射具。
【考案の詳細な説明】
【技術分野】
【０００１】  本考案は、交通事故防止のための再帰特性を持った反射具に関する。
【背景技術】
【０００２】  従来、再帰特性を有する反射具は、裏面が粘着材になったステッカーや、ナスカンを使ったキーホルダー式の物、またはボールチェーンや紐で取り付けるものがあった。また安全ピンで取り付ける物があった。
【考案の概要】
【０００３】
【考案が解決しようとする課題】
【０００４】  これらには次のような欠点があった。
（イ）裏面が粘着材になったステッカータイプの反射具は、一度付けると剥して再度貼ることができなかった。
（ロ）ナスカンやボールチェーン、紐を取付具とした反射具は、製造の過程で本体反射具に取付具を取り付ける必要があり、製造工程上人手が必要になり急な需要に迅速な対応ができなかった。
（ハ）安全ピンで取り付ける反射具は、反射具を取り付ける対象物に穴をあけてしまった。
本考案は、これらの欠点を除くためになされたものである。
【課題を解決するための手段】
【０００５】  両長辺上にＶ字の切り込み（１）の入った長方形状の再帰特性を有する反射テープ（３）に、反射テープの幅と同等寸法の線状の開口部（２）を設ける。
【考案の効果】
【０００６】  本考案のループ状に取り付ける反射具は、長方形状の本体を鞄の取っ手部分に巻き付けて装着する構造なので、ナスカンやボールチェーンといった取付パーツを必要とせず、何度も付け外しが可能で、しかも取付対象に穴を開ける事も無い。
また、製造上も平面の反射シートを抜き加工やウェルダー等で製造するだけなので、効率良く量産が可能。
【図面の簡単な説明】
【０００７】
【図１】    本考案の上面図である。
【図２】    本考案の使用図である。
【図３】    本考案の取付例を表す図である。
【考案を実施するための形態】
【０００８】（イ）再帰特性を有する長さ２１０ミリ幅１５ミリの長方形状の反射テープ（３）の短辺から３０ミリ離れた位置の両長辺にＶ字状の切り込み（１）を設ける。
（ロ）３０ミリの位置に切り込み（１）を設けた短辺と反対に位置する短辺から、３０ミリ離れた位置に長さ１５ミリの線状の開口部（２）を設ける。
【実施例】
【０００９】  以下、本考案の実施例について説明する。
本考案のループ状反射具を使う際は、鞄等の取っ手部分に長方形状の反射テープ（３）を巻きつけ、線状の開口部（２）に、反対の短辺を通し、線状の開口部（２）にＶ字の切り込み（１）をはめて固定する。
【産業上の利用可能性】
【００１０】  本考案のループ状に取り付ける反射具は、交通事故防止のための反射具として利用できるだけでなく、取り付けた形状が、エイズ患者への理解と支援の意思を表すシンボルとして使われているレッドリボンや、乳癌の撲滅、検診の早期受診を啓蒙推進イメージのピンクリボン等で使われている、アウェアネスリボン形状になるので、各種リボン運動の啓発用品としても利用ができる。
【符号の説明】
【００１１】      １  Ｖ字の切り込み
２  開口部
３  反射テープ
【図１】
0003149672.tif 000003
【図２】
0003149672.tif 000004
【図３】
0003149672.tif 000005
(57)【要約】      （修正有）【課題】溶接の際に溶接部の開先角度を簡単に測定出来る溶接用開先角度測定ゲ−ジを提供する。【解決手段】特殊鋼板をＡ板とＢ板を作製し、Ａ板の先端にカシメ穴と締め付けナットを持つ固定ボルトと、２５度−５０度の角度目盛りと摘み部を設け、Ｂ板の先端にカシメ穴と案内溝と指示線と摘み部を設け、Ａ板の固定ボルトをＢ板の案内溝と滑合させ、Ａ板のカシメ穴とＢ板のカシメ穴の間に平ワッシヤー１２を挿入して連結ヒンジピン１３でユルメカシメをした。【選択図】図３
0003149674.tif 000002
【実用新案登録請求の範囲】
【請求項１】
特殊鋼板をＡ板（１）とＢ板（７）を作製し、Ａ板（１）の先端にカシメ穴（２）と締め付けナット（３）を持つ固定ボルト（４）と、２５度−５０度の角度目盛り（５）と摘み部（６）を設け、Ｂ板（７）の先端にカシメ穴（８）と案内溝（９）と指示線（１０）と摘み部（１１）を設け、Ａ板（１）の固定ボルト（４）をＢ板（７）の案内溝（９）と滑合させ、Ａ板（１）のカシメ穴（２）とＢ板（７）のカシメ穴（８）の間に平ワッシヤ−（１２）を挿入して連結ヒンジピン（１３）でユルメカシメをしたことを特徴とする溶接用開先角度測定ゲ−ジ。
【考案の詳細な説明】
【技術分野】
【０００１】本考案は、溶接の際、開先角度の測定に関するものである。
【背景技術】
【０００２】従来から溶接する際、開先角の測定には角度ブロックゲ−ジや、高精度角度定規を使用する方法しか無かった。
【考案の開示】
【考案が解決しようとする課題】
【０００３】これには次の様な欠点があった。
（イ）角度ブロックゲ−ジでは必要な角度に組み合わせたり、組み合わせた二片を強固にするために付属部品を必要としたりするので手間が掛かる。
（ロ）高精度角度定規は高価である。
本考案は、以上の欠点を解決する為に考案されたものである。
【課題を解決するための手段】
【０００４】特殊鋼板をＡ板（１）とＢ板（７）をそれぞれ作製し、そしてＡ板（１）の先端にカシメ穴（２）と右端に締め付けナット（３）を持つ固定ボルト（４）と上方に２５度−５０度の角度目盛（５）と左端上部に摘み部（６）を設ける。
一方Ｂ板（７）には先端にカシメ穴（８）とＡ板（１）に設けた固定ボルト（４）と滑合する案内溝（９）と指示線（１０）と右端に摘み部（１１）を設ける。
そしてＡ板（１）の固定ボルト（４）をＢ板（７）の案内溝（９）に滑合させＡ板（１）の先端のカシメ穴（２）とＢ板（７）の先端カシメ穴（８）の間に平ワッシヤ−（１２）を挿入して連結ヒンジピン（１３）でユルメカシメを行う。
本考案は以上の構成からなる溶接用開先角度測定ゲ−ジである。
【考案の効果】
【０００５】上述の様に本考案によれば
（イ）小型軽量なので、ポケットにも入るので出先現場で使用する場合に便利である。
（ロ）角度ブロックゲ−ジの様に必要な角度に組み合わせたりしない為測定方法が簡単である。
【考案の実施するための最良の形態】
【０００６】以下本考案の実施の形態を図１−図４に基づいて説明する。
【０００７】特殊鋼板を図１に示すようにＡ板（１）にせん断加工し、Ａ板（１）の先端にカシメ穴（２）と締め付けナット（３）を持つ固定ボルト（４）と上方に２５度−５０度の角度目盛り（５）と摘み部（６）を設ける。
【０００８】特殊鋼板を図２に示すようにＢ板（７）にせん断加工し、Ｂ板（７）の先端にカシメ穴（８）と案内溝（９）と指示線（１０）と摘み部（１１）を設ける。
【０００９】図３に示すようにＡ板（１）の固定ボルト（４）をＢ板（７）の案内溝（９）に挿入しＡ板（１）の先端のカシメ穴（２）とＢ板（７）の先端のカシメ穴（８）の間に平ワッシヤ−（１２）を挿入して連結ヒンジピン（１３）でユルメカシメをする。
【００１０】本考案は以上の様な構成で、これを使用するときは図４に示す様に測定しようとする開先角に先端部を入れＡ板（１）の摘み部（６）を左にＢ板（７）の摘み部（１１）を右にそれぞれ開いて両者が止まった時点で締め付けナット（３）で締めＡ板（１）の角度目盛り（５）とＢ板（７）の指示線（１０）が一致した所が測定角度である。
【図面の簡単な説明】
【００１１】
【図１】本考案のＡ板（１）の正面図である。
【図２】本考案のＢ板（７）の正面図である。
【図３】本考案のＡ板（１）とＢ板（７）を組み立てた正面図である。
【図４】本考案の実施例を示す斜視図である。
【符号の説明】
【００１２】１    Ａ板
２    先端のカシメ穴
３    締め付けナット
４    固定ボルト
５    角度目盛り
６    摘み部
７    Ｂ板
８    先端カシメ穴
９    案内溝
１０  指示線
１１  掴み部
１２  平ワッシヤ−
１３  連結ヒンジピン
【図１】
0003149674.tif 000003
【図２】
0003149674.tif 000004
【図３】
0003149674.tif 000005
【図４】
0003149674.tif 000006
(57)【要約】      （修正有）【課題】接着剤を塗布した掛け針ハリス同士と掛け針ハリスと卓上面との接着及び掛け針ハリスの紛失による負傷を防止するハリス掛けを提供する。【解決手段】支柱で支えた水平板の周縁に設けた切込部にハリスの端末を挟み込むことにより、各ハリスの接着剤を塗布した部分と卓上及びハリス相互の接着を防ぎ、かつ、塗布した接着剤を完全に乾燥することができ、掛け針ハリスとハリス容器内に付着することを防ぐハリス掛けである。更に完成した掛け針ハリスの種別及び数量の確認も容易にすることにより紛失と負傷も防ぐことができる。【選択図】図１
0003149680.tif 000002
【実用新案登録請求の範囲】
【請求項１】
土台の略中心位置から上方垂直方向に支柱が備えられているとともに、該支柱の所定箇所に少なくとも１以上の水平板が備えられ、かつ、該水平板の周縁には、少なくとも１以上の切込部が設けられていることを特徴とするハリス掛け。
【請求項２】
前記ハリス掛けにおいて、前記水平板が樹脂製であることを特徴とする請求項１に記載のハリス掛け。
【考案の詳細な説明】
【技術分野】
【０００１】
本考案は、水平板の周縁に設けた切込部にハリスの端末を挟んで下げ掛けることによって、掛け針に塗布した接着剤によって掛け針同士及び他の物との誤った接着を防止するハリス掛けに関するものである。  
【背景技術】
【０００２】
自宅などにおいて、掛け針ハリスを自作する場合は卓上等で行なうことが一般的であり、ハリスに掛け針を糸で結束した後、ハリスと掛け針を固着させるために瞬間接着剤等を塗布する。塗布した直後に卓上へ置いた場合、掛け針ハリス同士が誤って接着し、またハリスがナイロン系の柔らかく細い糸のために結束した掛け針の重量で曲がり、接着剤を塗布した部分が卓上等に接触して接着していた。   更に塗布した接着剤が未乾燥の状態で携帯ハリス入れなどのハリス専用の容器に収納した場合、接着剤の成分が容器内で浮遊して、ハリスと掛け針及びハリス専用の容器の内部に付着した結果、白色になりハリス自体の強度とハリス容器内の視認性を低下させていた。また、掛け針ハリスの作成中に席を離れた場合、作成した掛け針ハリスが衣類に掛かって紛失することがあり、その掛け針ハリスによって家族が刺傷するなどの事故が起きる場合もあった。
【考案の概要】
【考案が解決しようとする課題】
【０００３】
掛け針ハリス同士及び他の物品と接着した場合、それらから掛け針ハリスを分離することは、掛け針の固着した部分に緩みが生じて掛け針としての機能が損なわれ、接着剤の成分がハリスやハリス容器に付着することによって強度と機能の低下及び外観を損ねていた。更に掛け針の紛失は同居者への重大な負傷を招く恐れがある。従って各掛け針ハリスをハリス掛けに掛けて完成させることにより前述の欠点を解決しようとするものである。
【課題を解決するための手段】
【０００４】
本考案は、支柱で支えた水平板の周縁に設けた切込部にハリスの端末を挟み込むことにより、各ハリスの接着剤を塗布した部分と卓上及びハリス相互の接着を防ぎ、かつ、塗布した接着剤を完全に乾燥することができる。更に完成した掛け針ハリスの種別及び数量の確認も容易にすることにより、問題点を解決している。
【考案の効果】
【０００５】
上述のように、本考案のハリス掛けは、接着剤を塗布して作成した掛け針ハリスの端末を水平板に挟んで掛け下げることにより、掛け針同士及び掛け針と卓上面が接着すること、更にハリス容器内で接着剤の成分が掛け針ハリスに付着すること、完成した掛け針ハリスの数量の確認が容易であるため紛失防止に役立ち、掛け針による乳幼児などの負傷を防ぎ、掛け針ハリスの作成に専念ができることにより、多くの完成品を仕上げることができる。また、掛け針ハリスの作成の他に掛け針ハリスの作成と同様に接着剤を使用する鮎釣りの鼻かん仕掛けのほかに渓流の仕掛け作りなどにも使用できる。更に、本体は掛け針ハリスを掛けた状態で異動ができることから、整理整頓が容易である、
【図面の簡単な説明】
【０００６】
【図１】本考案にかかるハリス掛け本体に掛け針ハリスを掛けたのを示す斜視図である。
【考案を実施するための形態】
【０００７】
以下、本考案を図面に基づいて説明する。
【実施例１】
【０００８】
図１は、本考案にかかるハリス掛けを示す斜視図である。該ハリス掛けは、図面に示すように架台４に備えた支柱２に水平板１，２を２枚取り付け、水平板１，３の周縁には図面のとおり、ハリスの端末を挟むことができる切込部５が等間隔に設けてある。なお、図面では、水平板を２枚設けた場合について示しているが、該水平板の枚数については特に限定するものではなく、一枚でも良いし複数枚設けても構わない。
【０００９】
図面を基に本考案の使用態様について説明する。該ハリス掛けに掛け針ハリスを実際に掛け下げる場合は、図１に示すように水平板１，３の切込部５に掛け針が結束されている反対側のハリスの端末を挟んで吊り下げる状態にする。取り外す場合はハリスを外側又は下方に引き抜く。すなわち、本考案にかかるハリス掛けの切込部はハリス自体の損傷を防ぐ為に、弾性を有する樹脂製が望ましく、例えば、発泡樹脂やゴム類が考えられる。また掛け針ハリスの種別と作業能率に応じて、水平板を複数設けること、加えて水平板の形状について円形以外を妨げない。
【符号の説明】
【００１０】
１  水平板
２  支柱
３  水平板            
４  土台
５  切込部
【図１】
0003149680.tif 000003